(57)【要約】【課題】窒素系化合物およびイオウ系化合物の悪臭に対し、優れた脱臭効果を有し、かつ見た目に対しても配慮した脱臭溶液およびコンポストの脱臭方法を提供する。【解決手段】3価のFeを主成分とする溶液とMnを主成分とする溶液の混合溶液からなることを特徴とする脱臭溶液。3価のFeに対してMnの割合は、好ましくは0.5〜3である。また、コンポストの脱臭は、上記脱臭溶液を用いてを行うことを特徴とする。【選択図】図１
2005237505.tif 000002
【特許請求の範囲】
【請求項１】
3価のFeを主成分とする溶液とMnを主成分とする溶液の混合溶液からなることを特徴とする脱臭溶液。
【請求項２】
3価のFeに対してMnの割合が0.5〜3であることを特徴とする請求項１に記載の脱臭溶液。
【請求項３】
請求項１または2に記載の脱臭溶液を用い、コンポストの脱臭を行うことを特徴とするコンポストの脱臭方法。
【発明の詳細な説明】
【技術分野】
【０００１】
本発明はコンポスト、更に詳しくは家畜、ペット類の糞尿による悪臭及び悪臭源物質を除去する脱臭溶液および脱臭溶液を用いたコンポストの脱臭方法に関する。
【背景技術】
【０００２】
人、家畜そしてペット等が発する悪臭の成分として考えられているには、アンモニア、アミン等の窒素系化合物と、硫化水素、メルカプタン、チオカルボニル化合物等の硫黄系化合物がある。一般に、これら悪臭の除去に用いられている方法としては、香料を利用したマスキング法、活性炭、ゼオライト、サイクロデキストリン等の吸着作用を利用した物理的消臭法、酸性やアルカリ性の化合物を用いる中和反応や、悪臭自体を加熱することで分解する熱分解反応等を利用した化学的消臭法、あるいは、曝気、スクラバーを利用した生物的消臭法等が知られている。中でも化学的消臭法は、形態、使用条件を選ばず取り扱いやすいことから数多く検討されてきた。 以下に代表的な化学的消臭法を示す。
【０００３】
特許文献1には、硫酸第2鉄と木酢酸との混合液からなる消臭剤が記載されている。
【０００４】
特許文献2には、2価鉄化合物と、L−アスコルビン酸及び明ばんを含有してなる脱臭性を有する組成物が記載されている。
【０００５】
特許文献3には、鉄、コバルト等の金属イオンを含む化合物と単体硫黄とを共存させた空気清浄力を有する組成物が記載されている。
【特許文献１】特開2001−37854号公報
【特許文献２】特公昭64−2378号公報
【特許文献３】特開平5−293363号公報
【発明の開示】
【発明が解決しようとする課題】
【０００６】
特許文献1に記載の技術では、鉄は容易に酸化されやすく溶液中においては速やかに茶褐色に変色し、アンモニアを吸収すると褐色（水酸化鉄）沈殿物を生成し、見た目が非常に悪い。そのため、悪臭原に直接散布した際、脱臭はされるものの堆肥自体が着色されてしまう問題が発生する。また、堆肥へ直接散布するため堆肥化を抑制するような悪影響を与えないことが必要となる。
【０００７】
特許文献2では、硫酸第一鉄は非常に不安定であるため溶液中で容易に酸化され黄褐色化してしまい、それを防止するために、アスコルビン酸塩などの抗酸化剤を用いている。しかし、アスコルビン酸塩は熱およびアルカリに不安定であり、発酵温度が80℃まで達するような堆肥に使用することは困難である。また、非常に高価であり、硫酸第一鉄の10倍程度の費用となるため、堆肥物など低価格用商品への適用へは向かない。
【０００８】
特許文献3に記載の技術は、固形物つまり触媒作用を利用した脱臭資材であるため臭気を集中的に捕集する装置を必要とし、脱臭処理をする際には、脱臭資材を充填した装置にて処理することになり装置の大型化を招くことになる。
【０００９】
本発明はかかる事情を鑑みてなされたものであり、窒素系化合物およびイオウ系化合物の悪臭に対し、優れた脱臭効果を有し、かつ見た目に対しても配慮した脱臭溶液およびコンポストの脱臭方法を提供することを目的とする。
【課題を解決するための手段】
【００１０】
本発明者らは、上記課題を解決するために鋭意検討した。その結果、鉄と同等の脱臭効果を示し、鉄溶液の安定化に奇与するものとしてMnがあることを見いだし、本発明に至った。すなわち、本発明は以下を特徴とする。
【００１１】
［1］3価のFeを主成分とする溶液とMnを主成分とする溶液の混合溶液からなることを特徴とする脱臭溶液。
【００１２】
［2］前記［1］において、3価のFeに対してMnの割合が0.5〜3であることを特徴とする脱臭溶液。
【００１３】
［3］前記［1］または［2］に記載の脱臭溶液を用い、コンポストの脱臭を行うことを特徴とするコンポストの脱臭方法。
【発明の効果】
【００１４】
以上、本発明によれば、本発明の脱臭液は茶褐色に変色することがないので堆肥自体が過剰に着色されることはなく、堆肥へ直接散布が容易に行える。そして、堆肥化施設などで発生する臭気を安価に効率良く脱臭することが可能である。
【００１５】
また、家畜、ペット類による悪臭および悪臭源物質の除去にまんべんなく効果が得られ、簡単に製造でき、人畜に対し安全性が高い脱臭溶液を得ることができる。
【００１６】
さらに、生物に無害な金属を利用しているため、環境面、環境に負荷を与えず、安価であることや、マンガンは植物の肥料としての効果もあることから堆肥の肥料効果が増す等、本発明の脱臭溶液は産業上極めて有益といえる。
【発明を実施するための最良の形態】
【００１７】
以下、本発明を詳細に説明する。
【００１８】
本発明の脱臭溶液は3価のFeを主成分とする溶液とMnを主成分とする溶液の混合溶液からなる。これは本発明の主要な要件である。以下、これについて詳細に説明する。
【００１９】
脱臭成分の主成分としてのFeは3価のFeを用いる。鉄は容易に酸化されやすく、溶液中で2価の鉄は3価になりやすい。したがって、鉄が酸化して茶褐色化するのを防ぐため、本発明では3価の鉄を用いることとする。
【００２０】
Mnは、Mnそのものに脱臭効果がある上に、鉄の酸化防止奇与する。そのため、本発明では上記3価のFeと併せて脱臭成分の主成分として使用することとする。
【００２１】
脱臭溶液中の3価のFeおよびMnは、溶液中に溶媒に溶解したイオンもしくは錯体の形態として存在する。この時、用いる溶媒としては、水もしくは酸性溶液があげられる。酸性溶液としては、例えば、硫酸等が挙げられる。これらの水もしくは酸性溶液に3価のFeおよびMnを溶解させたものを調整し、適宜、混合希釈し脱臭溶液として使用する。さらに、硫酸第二鉄および硫酸マンガンを水で溶解させてpHが1〜7の酸性液として用いることも可能である。水で溶解させる場合の希釈率は、適宜、使用目的、使用条件に合わせ、10〜1,000倍程度に希釈する等、脱臭液を調整して使用する。
【００２２】
脱臭溶液中の3価のFeおよびMnの各々の濃度は、適宜、使用目的、使用条件に合わせ設定される。しかし、例えば、硫酸第二鉄や硫酸マンガンを用いた場合は、3価のFeおよびMnの各々の濃度を、硫酸第二鉄の常の使用条件が温15℃で溶解度が41ｇ（100g−水）であるため、また硫酸マンガンの使用条件が温15℃で溶解度が38ｇ（100g−水）であるため、これら溶解度を上限として設定することが好ましい。
【００２３】
さらに、脱臭溶液中の3価のFeとMnの各々の濃度は、 3価のFeに対してMnの割合が0.5〜3（相対比）、であることが好ましい。より好ましくは、1〜1.5（相対比）である。上記のように、3価のFeに対するMnの割合を規定することにより、より一層、Feの酸化を防ぎ、Feの安定化に奇与する事が可能となる。
【００２４】
以上のように、本発明では3価のFeを主成分とする溶液とMnを主成分とする溶液とを混合して用いることにより、FeおよびMnを中心に各成分が複合的に関わり合い相乗的な脱臭効果が得られる。また、Mnは溶液中の3価のFeと反応し、Feの酸化を防ぎ、Feの安定化に奇与するため、Fe溶液を脱臭液として用いた場合に生じていた溶液の茶褐色化を効率良く防ぐことが可能となる。
【００２５】
本発明の脱臭溶液は、使用しやすくする目的から有効成分に補助剤を添加し、撹拌、混合して調製することができる。また、安定剤、噴射剤などを適宜添加することもできる。
【００２６】
本発明の脱臭溶液は、消臭効果を高めるために、明ばんを添加することができる。その場合、明ばんの種類はなんら制限はないがナトリウム鉄明ばん(NaFe(SO4)2・12H2O)やカリウム鉄明ばん(KFe(SO4)2・12H2O)などの鉄系の明ばんを用いることが環境に対する負荷が低いこと、アンモニア化合物を形成するの点から好ましい。
【００２７】
また、本発明の脱臭溶液は、悪臭の臭いを打ち消すマスキング効果のために、香料を添加することができる。金属の酸化を防ぐために、アミノ酸または有機酸を添加することができる。そして、pHの上昇を抑え悪臭を吸収する能力を高めるために、硫酸または塩酸を添加することができる。
【００２８】
さらに、本発明の消臭溶液は木酢液等の従来より公知の脱臭液を添加して使用してもよい。     
【００２９】
このようにして得られた本発明の消臭溶液は、悪臭、悪臭源物質に直接散布、噴霧、塗布することができ、また家畜の糞尿や堆肥やその周囲に処理し悪臭の除去を行なうことができる。
【００３０】
さらに、本発明の消臭溶液は上述の液型の他にも適当な基材に保持させることで、消臭作用を有するフィルム、シート、家具部材または建材等の消臭材とすることができる。ここで用いられる基材としてはポリエチレン、ポリプロピレン、ポリアミド、ポリ塩化ビニル、ポリエステル等の合成樹脂シート；動植物繊維または無機質繊維（紙、布、不織布、皮革等）；上記合成樹脂と動植物繊維体または無機質繊維との混合シート、混紡布、不織布；アルミニウム、ステンレス銅、亜鉛等の金属の箔またはフィルム；これらシートの積層物；建築材料等に用いる各種天然木材やプラスチックの成型物等が挙げられる。これらの基材に、塗布、含浸、滴下、混練により保持させることにより消臭材が得られる。基材中の消臭液の含有量に特には制限はなく、用途に応じ適宜決定することができ、通常、基材に対し1〜80重量％部の範囲である。
【００３１】
以上により得られた本発明の脱臭溶液を用いて、コンポストを脱臭することを本発明の特徴とする。コンポストを脱臭するにあたっては、本発明の脱臭溶液を用いて行えばよく、特に脱臭方法については限定しない。  
【実施例１】
【００３２】
1.脱臭試験
試験体を0.5 ml染み込ませたろ紙（直径2.5 cm）をテドラーバッグ（5 L）に入れシールした。次いで、前記テドラーバッグに100 ppmのアンモニアガスを満タンになるよう5 L入れた。一定時間後、検知管を用いて残存アンモニア濃度を測定した。なお、この時、試験体としては、1.蒸留水、2.Fe溶液、3. Fe＋Mn溶液、4. Mn溶液を用いた。結果を図1に示す。
【００３３】
図1は、各試験体の経過時間と残存アンモニアガス濃度との関係を示したものである。
【００３４】
図1より、本発明であるFe＋Mn溶液（本発明）を用いた場合、残存アンモニアガス濃度は低く、コンポストから発生するアンモニアガスが本発明の試験体により効率よく吸収されていることがわかる。また、経時的に劣化することなく、脱臭効果は維持されている。また、鉄溶液と同等もしくはそれ以上の脱臭効果が得られていることも分かる。
【００３５】
2.細菌影響評価試験
市販のドックフードとおが屑を用いて模擬堆肥を6kg作成し、これらを2つに分け、一方には蒸留水もう一方にはFe＋Mn溶液を散布した。これらに対し、経過時間と堆肥内に存在する細菌の数との関係を調べた。得られた結果を図2に示す。なお、堆肥内に存在する細菌の数はこの細菌の遺伝子のみを増幅し検出するリアルタイム−PCR法により測定した。
【００３６】
図2より、脱臭溶液としてFe＋Mn溶液を散布したもの（本発明）は、蒸留水を散布したものと細菌数に違いは無く堆肥化に悪影響を与えないことがわかる。
【００３７】
以上より、本発明の脱臭溶液は堆肥へ直接散布しても堆肥化へ影響を与えることなく、且つ、高い脱臭効果を有していることがわかる。
【産業上の利用可能性】
【００３８】
半導体工場などで発生するアンモニアを本発明の脱臭溶液を満たしたカラムに通すことにより、気液接触させ脱臭することも可能である。
【図面の簡単な説明】
【００３９】
【図１】各試験体の経過時間と残存アンモニアガス濃度との関係を示す図。
【図２】経過時間と堆肥内に存在する細菌の数との関係を示す図。
【図１】
2005237505.tif 000003
【図２】
2005237505.tif 000004